(57)【要約】【課題】  撮影装置本体へ電力を供給するバッテリの残量が低下したときにも、小さい消費電力で撮影することを可能とした撮影装置を提供する。【解決手段】  デジタルカメラ１０に電力を供給するバッテリ７６の残量が、メカニカルシャッター４４を駆動するためのモータ４６がメカニカルシャッター４４を開放状態から閉鎖状態へと駆動するために充分な残量以下であるときに、メカニカルシャッター４４を開放状態のままとして、消費電力の大きいシャッターモータ４６の駆動によるメカニカルシャッター４４を閉鎖する駆動を禁止するとともに、ＣＣＤ５０の電子シャッタ機能の制御によってシャッタースピードに応じた露光蓄積時間の間電荷蓄積素子２０Ａが電荷を蓄積するように制御する。従って、バッテリ７６の残量が、メカニカルシャッター４４を開閉するためのシャッタモータ４６の駆動を行うに充分な残量以下となった場合であっても、小さい消費電力でシャッタースピードに応じて電荷を蓄積して撮影することができる。【選択図】  図４
2006053383.tif 000002
【特許請求の範囲】
【請求項１】
電子シャッター機能を備え、撮影光学系を介して入射された光を受光して、受光量に応じた電荷を蓄積する電荷蓄積素子、該電荷蓄積素子に蓄積された電荷を排出する排出手段、及び該電荷蓄積素子に蓄積された電荷を画像データとして転送する転送手段を有する撮像素子と、
モータの駆動によって開閉されるメカニカルシャッターと、
シャッタースピードを表す情報を取得する取得手段と、
撮影装置本体へ電力を供給する電源の電力の残量を検出する検出手段と、
前記電源が投入されたときに前記メカニカルシャッターを開放すると共に、前記検出手段で検出された残量が所定値以下のときに、前記メカニカルシャッターを閉鎖する駆動を禁止するように前記モータを制御し、前記電荷蓄積素子がシャッタースピードに応じた電荷蓄積時間の間電荷を蓄積するように前記排出手段及び前記転送手段を制御する制御手段と、
を備えた撮影装置。
【請求項２】
電子シャッター機能を備え、撮影光学系を介して入射された光を受光して、受光量に応じた電荷を蓄積する電荷蓄積素子、該電荷蓄積素子に蓄積された電荷を排出する排出手段、及び該電荷蓄積素子に蓄積された電荷を画像データとして転送する転送手段を有する撮像素子と、
モータの駆動によって開閉されるメカニカルシャッターと、
シャッタースピードを表す情報を取得する取得手段と、
撮影装置本体へ電力を供給する電源の電力の残量を検出する検出手段と、
前記電源が投入されたときに前記メカニカルシャッターを開放すると共に、前記検出手段で検出された残量が所定値以下のときに、該残量が所定値を超える場合より遅い速度で前記メカニカルシャッターを閉鎖するように前記モータを制御し、前記電荷蓄積素子がシャッタースピードに応じた電荷蓄積時間の間電荷を蓄積するように前記排出手段及び前記転送手段を制御する制御手段と、
を備えた撮影装置。
【請求項３】
前記制御手段は、前記電荷蓄積素子がシャッタースピードに応じた電荷蓄積時間の間電荷を蓄積したときに、前記メカニカルシャッターが閉鎖されるように前記モータを更に制御する請求項２に記載の撮影装置。
【発明の詳細な説明】
【技術分野】
【０００１】
本発明は撮影装置に係り、特に、デジタルカメラ等の撮影装置に関する。
【背景技術】
【０００２】
従来、撮影装置、特にデジタルカメラでは、メカニカルシャッターを開閉するモータ等のように消費電力の大きい部品が設けられている。このようなデジタルカメラの電源として用いられるバッテリの残量低下時に、上記のようなモータの駆動等による消費電力の大きい処理が実行されると、該処理の正常実行が困難となり、誤動作を招く場合があった。
【０００３】
そこで、このような問題に適用可能な技術として、バッテリの残量を検出する検出機構をデジタルカメラに設けて、バッテリの残量が消費電力の大きい処理を行うに充分な値以下となると、警告表示を行うとともにデジタルカメラを自動的にパワーオフする技術が知られている（特許文献１参照）。
【特許文献１】特開２００４―０３７８２２公報
【発明の開示】
【発明が解決しようとする課題】
【０００４】
しかしながら、上記従来技術では、警告表示を行うとともにカメラを自動的にパワーオフするので、バッテリの残量低下時における上記処理の誤動作を防ぐ事はできるが、バッテリの残量が消費電力の小さい部品の駆動を行うのに充分な電力量であった場合であっても、電源がパワーオフされてしまうので撮影することができず、効率良くバッテリの電力を消費することができないという問題があった。
【０００５】
本発明は、上記問題点を解消するためになされたもので、撮影装置本体へ電力を供給するバッテリの残量が低下したときにも、小さい消費電力で撮影することを可能とした撮影装置を提供することを目的とする。
【課題を解決するための手段】
【０００６】
上記目的を達成するために第１の発明の撮影装置は、電子シャッター機能を備え、撮影光学系を介して入射された光を受光して、受光量に応じた電荷を蓄積する電荷蓄積素子、該電荷蓄積素子に蓄積された電荷を排出する排出手段、及び該電荷蓄積素子に蓄積された電荷を画像データとして転送する転送手段を有する撮像素子と、モータの駆動によって開閉されるメカニカルシャッターと、シャッタースピードを表す情報を取得する取得手段と、撮影装置本体へ電力を供給する電源の電力の残量を検出する検出手段と、前記電源が投入されたときに前記メカニカルシャッターを開放すると共に、前記検出手段で検出された残量が所定値以下のときに、前記メカニカルシャッターを閉鎖する駆動を禁止するように前記モータを制御し、前記電荷蓄積素子がシャッタースピードに応じた電荷蓄積時間の間電荷を蓄積するように前記排出手段及び前記転送手段を制御する制御手段と、を備えている。
【０００７】
第１の発明の撮影装置の撮像素子は、電子シャッター機能を備えており、撮影光学系を介して入射された光を受光して受光量に応じた電荷を蓄積する電荷蓄積素子、電荷蓄積素子で蓄積された電荷を排出する排出手段、及び電荷蓄積素子に蓄積された電荷を画像データとして転送する転送手段を有している。メカニカルシャッターは、モータの駆動によって開閉され、電源投入時に、制御手段によって開放状態となるように制御される。取得手段は、シャッタースピードを表す情報を取得する。検出手段は、撮影装置本体へ電力を供給する電源の電力の残量を検出する。制御手段は、検出手段によって検出された電力の残量が、メカニカルシャッターを開閉するモータを駆動するために充分な残量である所定値以下のときに、メカニカルシャッターを閉鎖する駆動を禁止するようにモータを制御する。また、制御手段は、電荷蓄積素子がシャッタースピードに応じた電荷蓄積時間の間電荷を蓄積するように、排出手段及び転送手段を制御する。電荷蓄積時間の間電荷を蓄積するには、電荷蓄積時間の間電荷蓄積素子に蓄積された電荷を画像データとして転送するように転送手段を制御し、電荷蓄積時間が経過すると、更に電荷蓄積素子に蓄積された電荷を排出するように排出手段を制御すればよい。
【０００８】
このように、電源の電力の残量が所定値以下のときは、電源が投入されたときに開放されたメカニカルシャッターを閉鎖する駆動を禁止するので、メカニカルシャッターを開放状態のままとして撮像素子の電子シャッター機能を制御することによって、シャッタースピードに応じた電荷蓄積時間の間、電荷蓄積素子が電荷を蓄積するように制御して撮影することができる。
【０００９】
従って、電源の残量が、電源の残量がメカニカルシャッターを開閉するモータを駆動するために充分な残量以下となった場合であっても、撮影することができ、これによって、電源の電力を効率よく消費することができる。
【００１０】
第２の発明の撮影装置は、電子シャッター機能を備え、撮影光学系を介して入射された光を受光して、受光量に応じた電荷を蓄積する電荷蓄積素子、該電荷蓄積素子に蓄積された電荷を排出する排出手段、及び該電荷蓄積素子に蓄積された電荷を画像データとして転送する転送手段を有する撮像素子と、モータの駆動によって開閉されるメカニカルシャッターと、シャッタースピードを表す情報を取得する取得手段と、撮影装置本体へ電力を供給する電源の電力の残量を検出する検出手段と、前記電源が投入されたときに前記メカニカルシャッターを開放すると共に、前記検出手段で検出された残量が所定値以下のときに、該残量が所定値を超える場合より遅い速度で前記メカニカルシャッターを閉鎖するように前記モータを制御し、前記電荷蓄積素子がシャッタースピードに応じた電荷蓄積時間の間電荷を蓄積するように前記排出手段及び前記転送手段を制御する制御手段と、を備えている。
【００１１】
第２の発明の撮影装置の制御手段は、電源が投入されたときにメカニカルシャッターを開放し、撮影時にメカニカルシャッターを閉鎖するように制御する。メカニカルシャッターを閉鎖するように制御する場合、検出手段によって検出された電源の電力の残量が所定値以下のときは、制御手段は、残量が所定値を超えた場合の速度に比べて遅い速度でメカニカルシャッターを閉鎖するようにモータを制御すると共に、電荷蓄積素子がシャッタースピードに応じた電荷蓄積時間の間電荷を蓄積するように、排出手段及び転送手段を制御する。
【００１２】
このように第２の発明の撮影装置では、電源の電力の残量が所定値以下のときは、電力の残量が所定値を超えた場合の速度に比べて、遅い速度でメカニカルシャッターを閉鎖するようにモータを制御することによって、モータによる消費電力を少なくするとともに、撮像素子の排出手段及び転送手段を制御することによってシャッタースピードに応じた露光蓄積時間の間電荷を蓄積するように制御する。従って、電源の電力の残量が、メカニカルシャッターを開閉するモータを駆動するために充分な残量未満となった場合であっても、撮影することができる。
【００１３】
第２の発明の制御手段は、排出手段及び転送手段を制御することによって電荷蓄積素子がシャッタースピードに応じた電荷蓄積時間の間電荷を蓄積したときに、メカニカルシャッターが閉鎖されるようにモータを制御することができる。このように、制御手段は、モータの駆動によってメカニカルシャッターが閉鎖されるタイミングと、シャッタースピードに応じた露光時間の間電荷蓄積素子に電荷が蓄積されるタイミングとが同一となるように制御することができるので、露光時間経過後に電荷蓄積素子に光が入射されることを防止することができる。
【発明の効果】
【００１４】
上記に示したように、本発明の撮影装置は、電源の残量が所定値以下のときに、電源が投入されたときに開放されたメカニカルシャッターを閉鎖するモータの駆動を禁止するか、またはメカニカルシャッターを閉鎖する速度を遅くすると共に、撮像素子の排出手段及び転送手段を制御することによってシャッタースピードに応じた露光蓄積時間の間電荷を蓄積するように制御するので、電源の残量がメカニカルシャッターを開閉するモータを駆動するために充分な残量以下となった場合であっても、小さい消費電力で撮影することができ、電源の電力を効率よく消費することができる、という効果を有する。
【発明を実施するための最良の形態】
【００１５】
以下、本発明をデジタルカメラに適用した実施の形態を図面に基づき説明する。
【００１６】
図１（Ａ）に示すように、本発明の撮影装置としてのデジタルカメラ１０の正面には、低照度の場合に発光されるストロボ１２と、撮影される被写体からの光が入射するファインダー窓１４と、被写体像を結像させるための光学ユニット１６と、が設けられている。また、デジタルカメラ１０の側面には、撮影によって得られた画像データをデジタルデータとして記憶する着脱可能な記録メディア１８（図２参照、図１では省略）を装着可能なスロット２０が設けられている。
【００１７】
なお、光学ユニット１６は、沈胴式の光学レンズであり、撮影時以外は、デジタルカメラ１０本体の筐体２２内に沈胴されており、撮影時には、光軸方向に伸縮可能な鏡筒１６Ａが伸長されて、図１（Ａ）に示すように筐体２２の外部に現れるようになっている。また、この光学ユニット１６は、鏡筒１６Ａ内に、撮影レンズ４０、フォーカスレンズ４２、及びメカニカルシャッター４４を含んでいる（図２参照）。撮影レンズ４０は、１枚又は複数枚のレンズで構成された単一の焦点距離（固定焦点）のレンズでも良いし、ズームレンズや望遠／広角の二焦点切替式レンズの如く焦点距離可変のものでもよい。
【００１８】
一方、デジタルカメラ１０の背面には、図１（Ｂ）に示すように、撮影によって得られた被写体画像、各種メニュー、及びパラメータ等を表示するＬＣＤ２４、ファインダー窓１４から入射した光が図示を省略した光学部材を介して案内され、撮影する被写体像の構図を決定する際に撮影者によって覗かれるファインダー接眼部２６、及び撮影倍率をアップ又はダウンしたりするズーム倍率の設定や、ＬＣＤ２４に表示されたメニュー画面から所望のメニュー項目や各種パラメータ等を選択する際に撮影者によって操作される十字ボタン２８が設けられている。
【００１９】
更に、デジタルカメラ１０の上面には、デジタルカメラ１０の各部への電源電力の供給／供給停止の切り替えを行う電源スイッチ３０、撮影の指示入力のために撮影者によって押圧操作されるレリーズスイッチ３２、及び撮影モードを選択する際に撮影者によって回転操作されるモードダイヤル３４が設けられている。レリーズスイッチ３２は、中間位置まで押下される状態（以下、「半押し状態」という。）、及び中間位置を超えた最終押下位置まで押下される状態（以下、「全押し状態」という。）の２段階の押圧操作が可能に構成されている。デジタルカメラ１０では、レリーズスイッチ３２を半押し状態にすることによりＡＥ（AutomaticExposure、自動露出）機能が働いてシャッタースピード、及び絞りの状態が設定された後、ＡＦ（Auto Focus、自動合焦）機能が働いて合焦制御されるとともに、ＡＷＢ補正値（ホワイトバランスを補正するための基準補正値）の演算が行われる。その後、引き続き全押し状態にすると露光（撮影）が行われる。シャッタースピードは、例えば、１フレームのＲ、Ｇ、Ｂ信号を積算した積算値に基づいて被写体輝度（撮影ＥＶ）を求め、この撮影ＥＶに基づいて設定される。なお、シャッタースピードの設定は、上記のように自動で行っても良いが、手動で行うこともできる。
【００２０】
図２に示すように、デジタルカメラ１０は、光学ユニット１６の光軸後方に配置されたＣＣＤ（Charge Coupled Device）５０、ＣＤＳ回路５２、アナログ／デジタル変換器（以下、「Ａ／Ｄ変換器」と称す）５４、電子シャッタ制御部５６、モータ制御部５８、ストロボ制御部１３、及びデジタルカメラ１０の全体的な動作を司る主制御部６０を備えている。
【００２１】
ＣＣＤ５０は、本実施の形態では、図３（Ａ）に示すように電子シャッター機能を備えたインターライン転送型のＣＣＤで構成され、受光した光を画素毎に電気信号に光電変換する二次元状に配列された電荷蓄積素子２０Ａ、電荷蓄積素子２０Ａに蓄積された電荷を垂直方向（図２紙面手前方向）へ転送する複数の転送路２０Ｄ、及び各転送路２０Ｄから転送された電荷を水平方向へ転送する図示を省略した転送路を備えている。また、各電荷蓄積素子２０Ａと転送路２０Ｄとの間には、電荷蓄積素子２０Ａに蓄積された電荷を転送路２０Ｄへ転送するトランスファーゲート（以下ＴＧという）２０Ｂ、及び各電荷蓄積素子２０Ａに蓄積された不要電荷を電荷排出部２０Ｆへ排出するオーバーフロードレイン（以下ＯＦＤという）２０Ｃが設けられている。電子シャッタ制御部５６は、ＴＧ２０B及びＯＦＤ２０Cを制御する。
【００２２】
ＣＤＳ回路５２は、ＣＣＤ５０から読み出された被写体像を示す出力信号を相関二重サンプリング（ＣＤＳ：Correlated Double Sampling）処理すると共にＲ、Ｇ、Ｂの各色信号に色分解処理して各色信号の信号レベルの調整を行う。Ａ／Ｄ変換器５４は、ＣＤＳ回路５２により処理されたアナログ信号をデジタル信号に変換する。モータ制御部５８は、メカニカルシャッター４４が開放状態またはＣＣＤ５０へ入射する光を閉鎖する閉鎖状態となるように開閉駆動させるシャッタモータ４６を駆動し、シャッタモータ４６の駆動速度を制御するモータ速度制御部５８Ａを含んで構成されている。ストロボ制御部１３は、ストロボ１２発光を制御する。なお、図示は省略するが、デジタルカメラ１０は、光学ユニット１６に含まれる撮影レンズ４０を移動（鏡筒の伸縮）させるためのズームモータ、及びフォーカスレンズ４２を移動させるためのＡＦ（Auto Focus）モータ等の各種モータを駆動するためのモータドライバを含んで構成されている。
【００２３】
主制御部６０は、信号処理部６２、圧縮伸張部６４、表示制御部６６、ＣＰＵ６８、メモリ７０、メディア制御部７２、及び検出部７４がバス７４により相互に接続されている。またＣＰＵ２８は、電子シャッタ制御部５６、モータ制御部５８、ストロボ制御部１３、十字ボタン２８、電源スイッチ３０、レリーズスイッチ３２、モードダイヤル３４、及び外部通信部８０各々と信号授受可能に接続されている。
【００２４】
信号処理部６２は、Ａ／Ｄ変換器５４から入力された画像データに対して所定のデジタル信号処理を行うものであって、ゲイン調整回路、ガンマ補正回路、及び輝度・色差信号処理回路（ＹＣ処理回路という）等を含んで構成される。Ａ／Ｄ変換器５４から入力された画像データは、ゲイン調整回路で増幅処理された後、図示を省略したガンマ補正回路においてガンマ補正処理が施され、図示を省略したＹＣ処理回路において輝度（Ｙ信号）及び色差信号（Ｃｒ、Ｃｂ信号）に変換される所定のデジタル信号処理が行われた後にメモリ７０に格納される。メモリ７０は、各種プログラム、後述する処理ルーチン（図４参照）や、各種パラメータ等の各種情報を予め記憶するとともに、撮影処理によって得られた画像データ等を記憶する。メディア制御部７２は、記録メディア１８に対して画像データを含む各種データを読み書きする。記録メディア１８は、スロット２０に装填されることによってメディア制御部７２に接続され、データの授受が可能となる。圧縮伸長部６４は、画像データをＪＰＥＧ等の所定の圧縮方式で圧縮・伸長する。メモリ７０に格納された画像データは、圧縮伸長部６４でＪＰＥＧなどの所定の圧縮方式で圧縮された後、メディア制御部７２を介して、記録メディア１８に記録される。なお、画像データの圧縮は必須ではなく、圧縮伸長部６４による圧縮処理は省略することが可能である。表示制御部６６は、メモリ７０または記録メディア１８に記録された画像データの画像をＬＣＤ２４に表示する。検出部７４は、デジタルカメラ１０に含まれる各種デバイス各々に電力を供給するためのバッテリ７６の残量を検知する。
【００２５】
なお、ＣＣＤ５０は、本発明の撮像装置の撮像素子に相当し、メカニカルシャッター４４は、本発明の撮像装置のメカニカルシャッターに相当し、検出部７４は、検出手段に相当する。また、ＯＦＤ２０Ｃは、本発明の排出手段に相当し、ＴＧ２０Ｂは、本発明の転送手段に相当する。
【００２６】
次に、上記実施の形態に係るデジタルカメラ１０の作用を説明する。
【００２７】
図４には、ＣＰＵ６８で実行される処理ルーチンを示した。電源スイッチ３０によりデジタルカメラ１０に電源が投入されると、シャッタモータ４６を駆動してメカニカルシャッター４４を開放状態にした後に、ステップ１００へ進み、レリーズスイッチ３２が半押し状態となったか否かを判別し、半押し状態となったと判断されると、ステップ１０２へ進む。ステップ１０２では、被写体画像１フレーム分のＲ、Ｇ、Ｂ信号を積算した積算値に基づいて被写体輝度（撮影ＥＶ）を求め、この撮影ＥＶに基づいて電子シャッタのシャッタースピード及び絞り値が設定される。ステップ１０２の処理によって、絞り値が設定されるとともにシャッタースピード、すなわち電荷蓄積素子２０Ａに蓄積させるべき電荷の電荷蓄積時間が決定される。なお、本実施の形態では、ステップ１０２の処理によって電荷蓄積時間を決定する場合を説明するが、電荷蓄積時間は、ユーザによる十字ボタン２８の操作指示に応じてシャッタースピード優先で設定するようにしてもよい。
【００２８】
次にステップ１０４では、スイッチ３２が全押し状態であるか否かを判別し、否定されるとステップ１００へ戻り、肯定されるとステップ１０６へ進む。ステップ１０６では、バッテリ７６の残量が、予め定められた速度でメカニカルシャッター４４を開放状態から閉鎖状態へと駆動するようにモータ４６を駆動するに充分な電力値である所定値より大きいか否かを判断し、処理値より大きい場合には、ステップ１０８へ進み、通常撮影処理を実行する。
【００２９】
通常撮影処理における電荷蓄積時間の制御は、具体的には、図３（Ａ）及び図５に示すように、ＴＧ２０Ｂを電荷蓄積可能な状態とするための駆動パルスを出力するとともに、ＯＦＤ２０Ｃから不要電荷を排出するための駆動パルスを出力することにより、電荷蓄積素子２０Ａに残留した電荷を電荷排出部２０Ｆに排出する。ＴＧ２０Ｂを電荷蓄積可能な状態にするには、ＴＧ２０Ｂを介して転送路２０Ｄへ印加する電圧レベルを制御して、転送路２０Ｄの下部にポテンシャル井戸が形成されない状態とすればよい。電荷蓄積素子２０Ａにおける残留電荷が全て排出された時点（図中Ｔ１）から、電荷蓄積素子２０Ａへの電荷蓄積が開始される。
【００３０】
ここで、電荷蓄積素子２０Ａが電荷蓄積可能な状態にあるときに、開放状態にあるメカニカルシャッター４４を閉鎖するための駆動信号をシャッターモータ４４へ出力する。シャッターモータ４４の駆動が開始されると（図中Ｔ２）、メカニカルシャッター４４は開放状態から閉鎖状態へと駆動を開始する。
【００３１】
電荷蓄積素子２０Ａにおける電荷の蓄積がＴ１時点で開始され、電荷蓄積時間ｔ２を経過した時点（図中Ｔ３）で、電荷蓄積可能な状態とされたＴＧ２０Ｂを電荷転送可能な状態とするための駆動パルスを出力することによって、電荷蓄積素子２０Ａに蓄積された電荷を転送路２０Ｄへ転送する（図３（Ｂ）参照）。詳細には、電荷転送可能な状態とするための駆動パルスによって、ＴＧ２０Ｂを介して転送路２０Ｄへ印加する電圧レベルを制御し、転送路２０Ｄの下部にポテンシャル井戸を形成することにより、該ポテンシャル井戸、すなわち転送路２０Ｄへ電荷蓄積素子２０Ａに蓄積された電荷を転送する。
【００３２】
なお、メカニカルシャッター４４が開放状態から完全に閉鎖状態となるまでの時間は、電荷蓄積素子２０Ａにおける電荷蓄積の開始から電荷蓄積時間ｔ２が経過するまでの時間と略同一となるように、すなわちメカニカルシャッター４４が閉鎖されるタイミングと、電荷蓄積が終了するタイミングとが一致するように制御される。この制御により、正常撮影処理時では、電荷の転送時に電荷蓄積素子２０Ａに光が入射されることを防止している。
【００３３】
一方、上記ステップ１０６で肯定されると、ステップ１１０で、メカニカルシャッター４４を開放状態から閉鎖状態へと駆動するためのシャッタモータ４６の駆動を禁止する駆動禁止信号をモータ制御部５８に出力することによって、メカニカルシャッター４４を開放状態のままとする。
【００３４】
次のステップ１１２では、ＣＣＤ５０の電子シャッター機能の制御によって、上記ステップ１０８の通常撮影処理で実行される電荷蓄積時間の制御と略同様に、電荷蓄積素子２０Ａの電荷蓄積時間を制御する。上記ステップ１０８の通常撮影処理と異なる点は、メカニカルシャッター４４を開放状態のままとして、ＣＣＤ５０の電子シャッタ機能のみを制御することによって電荷蓄積素子２０Ａの電荷蓄積時間を制御する点である。
【００３５】
すなわち、図６に示すように、メカニカルシャッター４４を開放状態のままとして、図５で説明したのと同様に、ＴＧ２０Ｂを電荷蓄積可能な状態とするための駆動パルスを出力するとともに、ＯＦＤ２０Ｃから不要電荷を排出するための駆動パルスを出力することにより、電荷蓄積素子２０Ａに蓄積された電荷を電荷排出部２０Ｆに排出する。電荷蓄積素子２０Ａにおける残留電荷が全て排出されると、ＯＦＤ２０Ｃは閉鎖状態とされ、この時点（図中Ｔ１）から、電荷蓄積素子２０Ａへの電荷蓄積が開始される。
【００３６】
電荷蓄積素子２０Ａにおける電荷の蓄積が開始され、電荷蓄積時間ｔ２を経過した時点（図中Ｔ３）で、電荷蓄積可能な状態とされているＴＧ２０Ｂを電荷転送可能な状態とするための駆動パルスを出力することによって、電荷蓄積素子２０Ａに蓄積された電荷を転送路２０Ｄへ転送する。
【００３７】
従って、メカニカルシャッター４４を開放状態のままとしてシャッタモータ４６を駆動せずに、ＣＣＤ５０の電子シャッター機能を制御することによって、上記ステップ１０２で決定されたシャッタースピードに応じた電荷蓄積時間を制御することができる。
【００３８】
次のステップ１１２では、ＣＣＤ５０の転送路２０Ｄを介して出力された画像データについて各種信号処理を行なった後に、記録メディア１８に記録する処理を実行した後に、本ルーチンを終了する。
【００３９】
なお、上記ステップ１０２の処理が、本発明の撮像装置の取得手段の機能に相当し、上記ステップ１１０及びステップ１１４の処理が、本発明の制御手段の機能に相当する。
【００４０】
以上説明したように、本実施の形態のデジタルカメラ１０では、デジタルカメラ１０に電力を供給するバッテリ７６の残量が、メカニカルシャッター４４を駆動するためのモータ４６がメカニカルシャッター４４を開放状態から閉鎖状態へと駆動するために充分な残量以下であるときに、消費電力の大きいシャッターモータ４６の駆動によるメカニカルシャッター４４の開閉駆動を禁止するとともに、ＣＣＤ５０の電子シャッタ機能の制御によってシャッタースピードに応じた露光蓄積時間の間電荷蓄積素子２０Ａが電荷を蓄積するように制御する。
【００４１】
従って、バッテリ７６の残量が、メカニカルシャッター４４を開閉するためのシャッタモータ４６の駆動を行うに充分な残量以下となった場合であっても、小さい消費電力でシャッタースピードに応じて電荷を蓄積して撮影することができる。
【００４２】
また、バッテリ７６の残量が低下したときに、デジタルカメラ１０の負荷を軽減して撮影処理を実行することができるので、バッテリ７６の電力を効率よく消費することができる。
【００４３】
なお、本実施の形態では、バッテリ７６の電力の残量が所定値以下となった場合には、メカニカルシャッター４４を開放状態から閉鎖状態へと駆動するためのシャッタモータ４６の駆動を禁止するように制御する場合を説明したが、シャッタモータ４６の駆動速度が通常撮影処理時における駆動速度に比べて低速になるように制御してもよい。この場合、上記ステップ１１０のメカニカルシャッター駆動禁止処理に替えて、メカニカルシャッター４４が開放状態から閉鎖状態へと駆動する速度が通常撮影処理時に比べて低速になるように制御する。具体的には、図７に示すように、通常撮影時（図５参照）のシャッタモータ４６の駆動開始タイミングＴ２に比べて早い駆動開始タイミングＴ４にシャッターモータ４４の駆動を開始するように制御して、電荷蓄積素子２０Ａにおける電荷蓄積の開始から電荷蓄積時間（ｔ２）が経過するまでの時間（時点Ｔ３）と、メカニカルシャッター４４が完全に閉鎖状態となる時点Ｔ５とが一致するように、シャッターモータ４６の駆動速度を制御する。
【００４４】
このように、バッテリ７６の電力の残量が低下したときに、消費電力の大きい処理であるメカニカルシャッター４４を開放状態から閉鎖状態へと駆動するためのシャッタモータ４６の駆動速度を、通常撮影時の駆動速度に比べて低速にすることによって、バッテリ７６の残量がメカニカルシャッター４４を開閉するためのシャッターモータ４６の駆動を行うに充分な残量以下となった場合であっても、小さい消費電力でシャッタースピードに応じて電荷を蓄積して撮影することができる。
【図面の簡単な説明】
【００４５】
【図１】本発明の実施の形態に係るデジタルカメラの正面（Ａ）及び背面（Ｂ）を示す斜視図である。
【図２】本発明の実施の形態に係るデジタルカメラの電気系の構成を示すブロック図である。
【図３】ＣＣＤの電子シャッター機能を示すイメージ図であり、（Ａ）は、電荷蓄積時を示し、（Ｂ）は、電荷転送時を示すイメージ図である。
【図４】本発明の実施の形態に係るデジタルカメラのＣＰＵで実行される処理ルーチンを示すフローチャートである。
【図５】通常撮影時のメカニカルシャッター、ＯＦＤ、及びＴＧ各々の駆動状態を示すタイムチャートである。
【図６】メカニカルシャッター駆動禁止下における撮影時のメカニカルシャッター、ＯＦＤ、及びＴＧ各々の駆動状態を示すタイムチャートである。
【図７】メカニカルシャッター駆動速度低下制御下における撮影時のメカニカルシャッター、ＯＦＤ、及びＴＧ各々の駆動状態を示すタイムチャートである。
【符号の説明】
【００４６】
１０  デジタルカメラ
２０Ｂ  ＴＧ
２０Ｃ  ＯＦＤ
４４  メカニカルシャッター
５０  ＣＣＤ
【図１】
2006053383.tif 000003
【図２】
2006053383.tif 000004
【図３】
2006053383.tif 000005
【図４】
2006053383.tif 000006
【図５】
2006053383.tif 000007
【図６】
2006053383.tif 000008
【図７】
2006053383.tif 000009